(57)【要約】      （修正有）【課題】架台全体の大きな構造変更なしに重量物の転倒を回避し得る装置を提供する。【解決手段】放射性物質収納容器を搭載する架台１と、この架台の底面の四隅に設けられた支持脚４と、この支持脚によって架台の底面から床面５までに形成された所定間隔の空間とを有し、放射性物質収納容器の直下で架台の底面に、床面との接地面が支持脚の接地面より高摩擦係数となった高摩擦部材を設けたことを特徴とする。【選択図】図１
2014035194.tif 000002
【特許請求の範囲】
【請求項１】
放射性物質収納容器を搭載する架台と、この架台の底面の四隅に設けられた支持脚と、この支持脚によって前記架台の底面から前記床面までに形成された所定間隔の空間とを有し、
前記放射性物質収納容器の直下で前記架台の底面に、前記床面との接地面が前記支持脚の接地面より高摩擦係数となった高摩擦部材を設けたことを特徴とする重量物の転倒防止架台。
【請求項２】
請求項１記載の重量物の転倒防止架台において、
前記支持脚は前記架台の底面の四隅の設けられたものであって、
前記支持脚は前記架台に対する加振方向の前部支持脚と後部支持脚となり、前記後部支持脚の摩擦係数は前記前部支持脚の摩擦係数よりも高い摩擦係数であることを特徴とする重量物の転倒防止架台。
【請求項３】
請求項２記載の重量物の転倒防止架台において、
前記前部支持脚は接地面に対して前記重量物と前記架台を滑動させるための球状体を有することを特徴とする重量物の転倒防止架台。
【請求項４】
請求項２記載の重量物の転倒防止架台において、
前記前部支持脚は接地面に対して前記重量物と前記架台を滑動させるためのキャスターを有することを特徴とする重量物の転倒防止架台。
【請求項５】
請求項２記載の重量物の転倒防止架台において、
前記後部支持脚は接地面に対してゴム材や木材等によって鋼製の摩擦係数より高い摩擦係数の材質で形成されていることを特徴とする重量物の転倒防止架台。
【請求項６】
請求項２記載の重量物の転倒防止架台において、
前記後部支持脚は接地面に対してスリットや突起等による荒い面を有することを特徴とする重量物の転倒防止架台。
【請求項７】
請求項１乃至６のいずれかに記載の重量物の転倒防止架台において、
前記架台の底面の端部と中央部に支持脚を配置し、前記中央部の支持脚は前記端部の支持脚より大きな摩擦係数を有することを特徴とする重量物の転倒防止架台。
【発明の詳細な説明】
【技術分野】
【０００１】
本発明は重量物の転倒防止架台に関する。
【背景技術】
【０００２】
原子力発電所の原子炉で一定期間使用された後、炉心より取り出された使用済燃料は発電所内の使用済燃料貯蔵プールに所定期間保管される。そして、所定の冷却期間が終了した使用済燃料はウラン、プルトニウム等の再利用可能な核燃料物質を回収するため放射線の遮蔽性能を有した放射性物質収納容器（以下、キャスクという）に収納され、トレーラ、船舶等で燃料再処理施設や放射性物質貯蔵施設に輸送される。
【０００３】
放射性物質貯蔵施設へ輸送されたキャスクは、使用済燃料が再利用されるまでの一定期間、放射性物質貯蔵施設内に貯蔵される。
【０００４】
この使用済燃料は使用済みとは言え、放射性が高いばかりでなく、相当の熱を発生するため、キャスクは放射線遮蔽機能、密閉機能、冷却機能を備えた円筒形で強靭な大型金属容器となっている。そのため、この大型金属容器のサイズと重量は直径が約2.5ｍ、高さが約6ｍ、重さが約100ｔという、極めて大きくて重い重量物である。
【０００５】
一般的に放射性物質貯蔵施設内においてキャスクは貯蔵用の架台に搭載され、施設内に設けられた貯蔵場所の床面の所定の位置に架台を固定することで貯蔵される。また、放射性物質貯蔵施設においてキャスクを架台に搭載された状態で移送及び貯蔵を行うとともに、移送時にはキャスクを搭載した架台を移送装置（以下、エアパレットという）により持ち上げて運搬し、貯蔵時には架台を床面にボルトで固縛している。
【０００６】
このようなキャスクに使用される架台の従来構造として特許文献１〜３がある。またキャスクではないが精密機器等の転倒防止構造として特許文献４がある。
【先行技術文献】
【特許文献】
【０００７】
【特許文献１】特開２００１-２２８２８６号公報
【特許文献２】特開２００３-２５５０７９号公報
【特許文献３】特開２００７-６４６８１号公報
【特許文献４】特開平６−３３５８３号公報
【発明の概要】
【発明が解決しようとする課題】
【０００８】
例えば、キャスクを保管する放射性物質貯蔵施設が建設された地域で巨大地震が発生したとする。その場合、キャスクに対して上下左右或いは回転方向の振動（以下、ロッキング振動という）などの揺れが生じるため、このような巨大地震に対してもキャスクの転倒を防止可能な架台が必要となる。
【０００９】
つまり、巨大地震による加振時には、架台に設置された支持脚と接地面との摩擦により、重量物の重心を慣性力の作用点、接触面を中心とした回転振動が生じるものである。
【００１０】
またキャスクのような重量物を安全に移動させる場合には、上述したエアパレットが使用される。このエアパレットはドーナツ型のトラスバックにエアーを供給してトラスバックを膨らませることで、重量物を持ち上げることができるものである。持ち上げられた状態であれば僅かな力で重量物を移動させることができるため、エアパレットは重量物の移動に適している。
【００１１】
しかながらエアパレットであっても、上述したように巨大地震によって電源の供給が停止してしまった場合にはエアーの供給ができなくなってしまう。そのためキャスクを地面に直接置くことになりロッキング振動による転倒の可能性が高くなる。
【００１２】
これに対して、上記特許文献１は、キャスクの転倒防止として床面とキャスクとの間に摺動性の良好な滑りパッドを介在させることで地震による振動を緩和させる構成となっている。しかしながら、特許文献１はキャスクの過度な滑り防止のためにキャスク間にダンパを設置しており、キャスク移送時に対応した構造ではない。
【００１３】
また特許文献２では、キャスクの転倒防止としてスライドプレートと薄板との組み合わせにより、地震による振動を緩和させる構成となっている。しかしながら、特許文献２はキャスク移送時に対応した構造ではない。
【００１４】
また特許文献３では、キャスクを搭載した架台の四隅に支持脚を設け、この支持脚を貫通し、床面内にまで達する固定用ボルトで架台を床面に直接固定する構成となっている。しかしながら特許文献３はキャスク移送時のロッキング振動に対しては考慮していない。
【００１５】
さらに特許文献４では、キャスクの転倒防止ではないが精密機器等の免振装置として、滑りタイプの免振機構と転がりタイプの免振機構を対角線上で対向させる構成となっている。
【００１６】
このように各特許文献では、良好な滑り性や大きな摩擦抵抗を組み合わせることによって巨大地震によるキャスク或いは精密機器の転倒を防止している。
【００１７】
しかしながら、各特許文献に記載されているような地震対策は、貯蔵時を想定した構造であり、移送時のロッキング振動を考慮していない。
【００１８】
そこで本発明の目的は、貯蔵及び移送状態のキャスク等の重量物に対し、架台全体の大きな構造変更をすることなく地震等の加振に対して重量物の転倒を回避し得る重量物の転倒防止架台を提供することにある。
【課題を解決するための手段】
【００１９】
上記課題を解決するために本発明は、放射性物質収納容器を搭載する架台と、この架台の底面の四隅に設けられた支持脚と、この支持脚によって前記架台の底面から前記床面までに形成された所定間隔の空間とを有し、前記放射性物質収納容器の直下で前記架台の底面に、前記床面との接地面が前記支持脚の接地面より高摩擦係数となった高摩擦部材を設けたものである。
【発明の効果】
【００２０】
本発明によれば、キャスク等の重量物に対し、架台全体の大きな構造変更をすることなく地震等の加振に対して重量物の転倒を回避し得る重量物の転倒防止架台を提供することができる。
【図面の簡単な説明】
【００２１】
【図１】本発明の実施例１に係るキャスクと架台の斜視図である。
【図２】本発明の実施例１に係る架台の平面図である。
【図３】本発明の実施例１に係る架台の底面図である。
【図４】本発明の実施例２に係る架台の底面図である。
【図５】本発明の実施例３に係るキャスクと架台の側面図である。
【図６】本発明の実施例４に係るキャスクと架台の側面図である。
【図７】本発明の実施例５に係るキャスクと架台の側面図である。
【図８】本発明の実施例６に係るキャスクと架台の側面図である。
【図９】本発明の実施例７に係るキャスクと架台の側面図である。
【図１０】本発明の実施例８に係るキャスクと架台の側面図である。
【発明を実施するための最良の形態】
【００２２】
以下、本発明の実施例を図面を用いて説明する。
【実施例１】
【００２３】
図１は本発明の実施例に係るキャスクと架台の斜視図である。
【００２４】
図１において、架台１はキャスク２が搭載される架台基部３と、この架台基部３の下部に設けられた固定用の支持脚４が四隅に取り付けられている。この支持脚４によって架台基部３の上面にはキャスク２が搭載される搭載部位３ａとキャスク２の貯蔵場所等の床面５との間に空間部６が形成される。
【００２５】
搭載部位３ａの周辺部３ｂには押圧要ボルト７が取り付けられている。この押圧用ボルト７によって架台１は周辺部３ｂを床面５方向に押し付けながら放射性物質貯蔵施設の床面５（又は地面）に固定されている。周辺部３ｂには支持脚取り付けボルト８が取り付けられている。また周辺部３ｂにはキャスク２を架台１に固定するための固定具９が取り付けられている。
【００２６】
図に示すように、エアパレット１０は矢印で示すように空間部６内に差し込まれて、キャスク２を架台１ごと移動するときに使用される。
【００２７】
図２は本発明の実施例に係る架台の平面図である。
【００２８】
図３は本発明の実施例に係る架台の底面図である。
【００２９】
図２において、本図はキャスク２と架台１を上面から見た図であり、キャスク２の中心点Ｏを示した。なお、図１と同一番号は同一物であるため、その説明は省略する。
【００３０】
図３において、本図は架台１を床面５側から見た図であり、図２に示したキャスク２の重心位置Ｏ点と対向する架台２に高摩擦部材１１を取り付けたものである。架台２の四隅にある支持脚４は低摩擦部材となっている。なお、図２と同様に図１と同一番号は同一物であるため、その説明は省略する。
【００３１】
このように、本実施例ではキャスク２の直下に位置する架台１の中心部に床面５と接触する高摩擦部材１１が取り付けられ、四隅の支持脚４は低摩擦部材となっている。そのため、巨大地震時には高摩擦係数部材11と床面５の接触点がキャスクの回転中心となる。その時、キャスクの重心位置Ｏ点に作用する慣性力による回転モーメントが支持脚４によって相殺され、ロッキング振動が低減することになり、キャスクの転倒を防止することができる。
【００３２】
高摩擦部材１１の材料としてはゴム材であったり、樹脂材であったりしても構わない。或いはこれらの材料を使って、床面との接触面を粗く表面加工することで高摩擦面としても構わない。
【００３３】
ところで、本実施例では架台１の底面には四隅（端部）の支持脚と中央部の高摩擦部材との組み合わせで説明したが、この実施例に限定されるものではない。例えば中央部に四隅の支持脚と同じ支持脚を取り付け、この中央部の支持脚の摩擦係数を四隅の支持脚より大きいものにしても構わない。
【実施例２】
【００３４】
図４は本発明の実施例２に係る架台の底面図である。
【００３５】
本実施例は、実施例１で説明したキャスク２と架台１が矢印方向（加振方向）に荷重が加わった場合を想定して配慮したものである。
【００３６】
なお、本実施例を説明する上で、加振方向の支持脚２本を前部支持脚４ａとし、反対側の支持脚２本を後部支持脚４ｂとする。
【００３７】
図４において、例えばキャスク２を搭載した架台１をトラックで輸送する場合、トラックの発進時や急ブレーキをかけたとき矢印方向（加振方向）に荷重が加わった場合を考慮して後部支持脚４ｂを高摩擦部材としたものである。
【００３８】
これにより、加振方向の前部支持脚４ａは滑ろうとするが後部支持脚４ｂは滑りを阻止するように作用するとともに、高摩擦部材１１によって回転方向のモーメントも抑えることができる。
【００３９】
このように本実施例によればキャスクに対する加振方向と回転方向のモーメントを防止することができるためキャスクの転倒を防止できるものである。
【実施例３】
【００４０】
図５は本発明の実施例３に係るキャスクと架台の側面図である。
【００４１】
図５において、架台１の上部にはキャスク２が搭載されている。このキャスク２の直下で、架台１の床面５と対向する面には高摩擦部材１１が取り付けられている。本実施例の架台１は前部支持脚４ａに半球面部材１２が取り付けられている。この半球面部材１２は低摩擦状態で床面５に接地している。
【００４２】
このように本実施例によれば、半球面部材１２によって前部支持脚４ａと床面との摩擦が小さくなるため、加振方向の滑り挙動促進によりロッキング振動を防止することができる。
【実施例４】
【００４３】
図６は本発明の実施例４に係るキャスクと架台の側面図である。
【００４４】
図６において、架台１の上部にはキャスク２が搭載されている。このキャスク２の直下で、架台１の床面５と対向する面には高摩擦部材１１が取り付けられている。本実施例の架台１は前部支持脚４ａにキャスター１３が取り付けられている。この半球面部材１３は低摩擦状態で床面５に接地している。
【００４５】
このように本実施例によれば、キャスター１３によって前部支持脚４ａと床面との摩擦が小さくなるため、加振方向の滑り挙動促進によりロッキング振動を防止することができる。
【実施例５】
【００４６】
図７は本発明の実施例５に係るキャスクと架台の側面図である。
【００４７】
図７において、架台１の上部にはキャスク２が搭載されている。このキャスク２の直下で、架台１の床面５と対向する面には高摩擦部材１１が取り付けられている。本実施例の架台１は後部支持脚４ａに高摩擦部材となる別部材のゴム材１４が取り付けられている。このゴム材１４は高摩擦状態で床面５に接地している。
【００４８】
このように本実施例によれば、ゴム材１４によって後部支持脚４ｂと床面５との摩擦が大きくなるため、加振方向の滑り挙動促進によりロッキング振動を防止することができる。
【実施例６】
【００４９】
図８は本発明の実施例６に係るキャスクと架台の側面図である。
【００５０】
図８において、架台１の上部にはキャスク２が搭載されている。このキャスク２の直下で、架台１の床面５と対向する面には高摩擦部材１１が取り付けられている。本実施例の架台１は後部支持脚４ａに高摩擦部材となる別部材の木材１５が取り付けられている。この木材１５は高摩擦状態で床面５に接地している。
【００５１】
このように本実施例によれば、木材１５によって後部支持脚４ｂと床面５との摩擦が大きくなるため、加振方向の滑り挙動促進によりロッキング振動を防止することができる。
【実施例７】
【００５２】
図９は本発明の実施例７に係るキャスクと架台の側面図である。
【００５３】
図９において、架台１の上部にはキャスク２が搭載されている。このキャスク２の直下で、架台１の床面５と対向する面には高摩擦部材１１が取り付けられている。本実施例の架台１は後部支持脚４ａに高摩擦部材となる別部材の凹凸部材１６（本実施例では直線状の凹凸を複数本設けたもの）が取り付けられている。この凹凸部材１６は高摩擦状態で床面５に接地している。
【００５４】
このように本実施例によれば、凹凸部材１６によって後部支持脚４ｂと床面５との摩擦が大きくなるため、加振方向の滑り挙動促進によりロッキング振動を防止することができる。
【実施例８】
【００５５】
図１０は本発明の実施例７に係るキャスクと架台の側面図である。
【００５６】
図１０において、架台１の上部にはキャスク２が搭載されている。このキャスク２の直下で、架台１の床面５と対向する面には高摩擦部材１１が取り付けられている。本実施例の架台１は後部支持脚４ａに高摩擦部材となる別部材の凹凸部材１７（本実施例では円柱状の凹凸を複数個設けたもの）が取り付けられている。この凹凸部材１７は高摩擦状態で床面５に接地している。
【００５７】
このように本実施例によれば、凹凸部材１７によって後部支持脚４ｂと床面５との摩擦が大きくなるため、加振方向の滑り挙動促進によりロッキング振動を防止することができる。
【００５８】
また、後部支持脚の底面に支持脚の材質より摩擦係数の大きな材質の部材を装着することによって、支持脚の材質より大きな摩擦力を得ることができる。
【００５９】
また、後部支持脚の底面に荒い形状を有する部材を装着することによって、支持脚の形状より大きな摩擦力を得ることができる。
【００６０】
また、高い摩擦を得るためにゴム材を支持脚に取付け方法としてはめ込み方式が考えられるが、この方式であれば取り付け作業に工具を必要とせず作業の低減化を図ることができる。
【００６１】
以上のごとく本発明の重量物の転倒防止架台は、支持脚ごとに接地面との摩擦係数が異なる装置を設置することにより、ロッキング振動の回転中心を、前部支持脚から後部支持脚へ移行させる。一方向加振の場合、前部支持脚を加振方向に対し架台の前端、後部支持脚を加振方向に対し架台の後端に配置する。多方向または交番加振の場合、前部支持脚を加振方向に対し架台の前端、後部支持脚を架台の中央部に配置する。この時、重量物の重心位置に作用する慣性力による回転モーメントと前部支持脚の垂直抗力による回転モーメントの相殺により、ロッキング振動の低減を可能とする。本発明の重量物の転倒防止架台は、上記効果を利用するものである。
【符号の説明】
【００６２】
１…架台、
２…キャスク、
３…架台基部、
３ａ…搭載部位、
３ｂ…周辺部、
４…支持脚、
４ａ…前部支持脚、
４ｂ…後部支持脚、
５…床面、
６…空間、
７…押圧用ボルト、
８…支持脚取り付けボルト、
９…固定具、
１０…エアパレット、
１１…高摩擦部材、
１２…半球面部材、
１３…キャスター、
１４…ゴム材、
１５…木材、
１６、１７…凹凸部材。
【図１】
2014035194.tif 000003
【図２】
2014035194.tif 000004
【図３】
2014035194.tif 000005
【図４】
2014035194.tif 000006
【図５】
2014035194.tif 000007
【図６】
2014035194.tif 000008
【図７】
2014035194.tif 000009
【図８】
2014035194.tif 000010
【図９】
2014035194.tif 000011
【図１０】
2014035194.tif 000012